(57)【要約】【課題】使用する情報端末が変わっても、情報端末の表示部に表示する画像を実物大で表示することができる実物大表示システムの実現。【解決手段】所定寸法に設定された寸法計測バー36を登録しておく寸法計測画像記憶部22と、寸法計測バー36が表示された寸法調整比率設定画面34を表示部20に出力する手段と、表示部20に表示された寸法計測バー36の実測値が入力された場合に、寸法計測バー36の「設定寸法値÷実測値」の演算処理を行って寸法調整比率を算出する手段と、算出した寸法調整比率を登録しておく寸法調整比率記憶部24と、所定寸法が設定されたベクタ形式の素材画像を登録しておく素材画像記憶部26と、上記素材画像記憶部26から抽出した素材画像を上記寸法調整比率に従って寸法調整を実行する手段と、寸法調整後の素材画像を表示部20に出力する手段を備えた。【選択図】図１
2018092306.tif 000002
【特許請求の範囲】
【請求項１】
所定の寸法に設定された寸法計測画像を登録しておく寸法計測画像記憶手段と、
上記寸法計測画像が表示された寸法調整比率設定画面を表示部に出力する手段と、
表示部に表示された上記寸法計測画像の実測値が入力された場合に、寸法計測画像の「設定寸法値÷実測値」の演算処理を行って寸法調整比率を算出する手段と、
算出した上記寸法調整比率を登録しておく寸法調整比率記憶手段と、
ベクタ形式の素材画像を登録しておく素材画像記憶手段と、
上記素材画像記憶手段から選択された素材画像を抽出する手段と、
上記寸法調整比率記憶手段に登録された寸法調整比率を参照し、寸法調整比率に従って抽出した素材画像の寸法調整を実行する手段と、
寸法調整後の素材画像を表示部に出力する手段と、
を備えたことを特徴とする実物大表示システム。
【請求項２】
所定の寸法に設定された寸法計測画像を登録しておく寸法計測画像記憶手段と、
上記寸法計測画像が表示された寸法調整比率設定画面を表示部に出力する手段と、
表示部に表示された上記寸法計測画像の実測値が入力された場合に、寸法計測画像の「設定寸法値÷実測値」の演算処理を行って寸法調整比率を算出する手段と、
算出した上記寸法調整比率を登録しておく寸法調整比率記憶手段と、
ラスタ形式の素材画像を登録しておく素材画像記憶手段と、
上記ラスタ形式の素材画像中において、実物大表示の「対象物の縦寸法値Ｈ及び横寸法値Ｄ」と、「対象物の実物大表示時の縦寸法値ｈ及び横寸法値ｄ」を登録しておく素材寸法情報記憶手段と、
上記素材画像記憶手段から選択された素材画像を抽出する手段と、
上記素材寸法情報記憶手段に登録された「対象物の縦寸法値Ｈ及び横寸法値Ｄ」、「対象物の実物大表示時の縦寸法値ｈ及び横寸法値ｄ」、上記寸法調整比率記憶手段に登録された「寸法調整比率」を参照し、「縦寸法値ｈ÷縦寸法値Ｈ」及び「横寸法値ｄ÷横寸法値Ｄ」の演算処理を行って「対象物の縦方向の変形率及び横方向の変形率」を算出し、さらに、上記「対象物の縦方向の変形率及び横方向の変形率」に上記寸法調整比率を乗じる演算処理を行って算出された比率に従って素材画像の寸法調整を実行する手段と、
寸法調整後の素材画像を表示部に出力する手段と、
を備えたことを特徴とする実物大表示システム。
【請求項３】
コンピュータを、
所定の寸法に設定された寸法計測画像を登録しておく寸法計測画像記憶手段、
上記寸法計測画像が表示された寸法調整比率設定画面を表示部に出力する手段、
表示部に表示された上記寸法計測画像の実測値が入力された場合に、寸法計測画像の「設定寸法値÷実測値」の演算処理を行って寸法調整比率を算出する手段、
算出した上記寸法調整比率を登録しておく寸法調整比率記憶手段、
ベクタ形式の画像を登録しておく素材画像記憶手段、
上記素材画像記憶手段から選択された素材画像を抽出する手段、
上記寸法調整比率記憶手段に登録された寸法調整比率を参照し、寸法調整比率に従って抽出した素材画像の寸法調整を実行する手段、
寸法調整後の素材画像を表示部に出力する手段、
として機能させることを特徴とする実物大表示プログラム。
【請求項４】
コンピュータを、
所定の寸法に設定された寸法計測画像を登録しておく寸法計測画像記憶手段、
上記寸法計測画像が表示された寸法調整比率設定画面を表示部に出力する手段、
表示部に表示された上記寸法計測画像の実測値が入力された場合に、寸法計測画像の「設定寸法値÷実測値」の演算処理を行って寸法調整比率を算出する手段、
算出した上記寸法調整比率を登録しておく寸法調整比率記憶手段、
ラスタ形式の素材画像を登録しておく素材画像記憶手段、
上記ラスタ形式の素材画像中において、実物大表示の「対象物の縦寸法値Ｈ及び横寸法値Ｄ」と、「対象物の実物大表示時の縦寸法値ｈ及び横寸法値ｄ」を登録しておく素材寸法情報記憶手段、
上記素材画像記憶手段から選択された素材画像を抽出する手段、
上記素材寸法情報記憶手段に登録された「対象物の縦寸法値Ｈ及び横寸法値Ｄ」、「対象物の実物大表示時の縦寸法値ｈ及び横寸法値ｄ」、上記寸法調整比率記憶手段に登録された「寸法調整比率」を参照し、「縦寸法値ｈ÷縦寸法値Ｈ」及び「横寸法値ｄ÷横寸法値Ｄ」の演算処理を行って「対象物の縦方向の変形率及び横方向の変形率」を算出し、さらに、上記「対象物の縦方向の変形率及び横方向の変形率」に上記寸法調整比率を乗じる演算処理を行って算出された比率に従って素材画像の寸法調整を実行する手段、
寸法調整後の素材画像を表示部に出力する手段、
として機能させることを特徴とする実物大表示プログラム。
【発明の詳細な説明】
【技術分野】
【０００１】
この発明は実物大表示システム及び実物大表示プログラムに係り、特に、児童・生徒等（以下、学習者と称する）が、タブレット端末、スマートフォン、パソコン等、様々な情報端末を使用して学習する場合において、使用する情報端末が変わっても、情報端末の表示画面に表示する画像を実物大で表示することができる実物大表示システム及び実物大表示プログラムに関する。
【背景技術】
【０００２】
近年、小中学校等の教育現場において、先生の負担軽減、効率的な授業運営の実現等の観点から、情報通信技術（ＩＣＴ＝Information and Communication Technology）を活用した教育（ＩＣＴ教育）の普及が開始されており、その一環として、各学習者は学校や自宅等において、タブレット端末、スマートフォン、パソコン等、様々な情報端末を使用して学習すると共に、先生もタブレット端末、パソコン、電子黒板等の様々な情報端末を使用して学習指導することが行われている（非特許文献１参照）。
【先行技術文献】
【非特許文献】
【０００３】
【非特許文献１】小中学校で本格的な「ICT教育」が始まります−大府市  インターネットURL：https://www.city.obu.aichi.jp/cmsfiles/contents/0000027/27674/ictkyoiku.pdf  検索日：２０１６年１１月２２日
【発明の概要】
【発明が解決しようとする課題】
【０００４】
上記情報端末を構成する表示部の表示画面は、画面サイズ、画面比率、ピクセル数（解像度）等が、情報端末毎に種々異なっているのが実情である。
すなわち、画面サイズは表示画面の対角線の長さ（インチ単位）で表されるものであり、例えば、スマートフォンの表示画面で用いられることの多い５．５インチや６．０インチ等の画面サイズ、タブレット端末の表示画面で用いられることの多い８．０インチや１０．０インチ等の画面サイズ、パソコンの表示画面で用いられることの多い１７．０インチや２０．１インチ等の様々な画面サイズが有る。
【０００５】
画面比率は表示画面の縦：横の長さの比率（アスペクト比）であり、例えば、４：３、１６：９、１６：１０等様々な画面比率が存在している。
【０００６】
ピクセル数（解像度）とは、表示画面を構成する画素（ドット）数を示すものであり、例えば、１９２０×１０８０、１２８０×７２０等の様々なピクセル数（解像度）が有る。
尚、表示画面の画面サイズにより画素（ドット）の大きさも種々異なるものである。
【０００７】
上記の通り、情報端末を構成する表示部の表示画面の画面サイズ、画面比率、ピクセル数（解像度）等が種々異なる結果、例えば、所定寸法で作成された図形等の画像が拡大又は縮小されて表示画面に表示されてしまい、実物大と異なる画面表示が成される事態が生じている。
【０００８】
ところで、例えば特別支援教育や初等教育においては、図形等の対象物の大きさの概念（イメージ）を正しく認識・理解させることが重要であり、そのため、紙媒体の教科書や教材においては、例えば３ｃｍ四方の正方形の図形は実際に定規で測っても３ｃｍの寸法で表示されている等、対象物の大きさ・長さ・面積・体積等を直感的に理解できるよう実物大で表示することが基本と成されている。
【０００９】
従って、上記の如く、デジタルの教科書や教材等において、使用する情報端末によって実物大と異なる種々の寸法で画像の表示が成されてしまうことにより、以下の問題が生じていた。
（１）所定寸法で作成された画像（例えば、紙媒体の教科書に印刷されている３ｃｍ四方の正方形と同じく、３ｃｍ四方の寸法で作成された正方形画像）が、実物大と異なる寸法、例えば、縮小されて２ｃｍ四方の正方形画像等として表示される結果、学習者が大きさ・長さ・面積・体積等の感覚を正確に掴むことができない。
（２）表示画面に同じ画像を表示した際に、先生の情報端末（例えば電子黒板）に表示された画像の大きさと、学習者の情報端末（例えばタブレット）に表示された画像の大きさが異なり、学習者が同一画像であると認識することができない。
（３）学習者が学校と自宅で異なる情報端末を用いて学習する際、学習者の記憶にある学校の情報端末（例えばパソコン）に表示されていた画像の大きさと、自宅の情報端末（例えばタブレット端末）に表示される画像の大きさが異なり、同一画像であると認識することができない。
【００１０】
本発明は、上記問題点に鑑みて案出されたものであり、その目的は、使用する情報端末が変わっても、情報端末の表示部に表示する画像を実物大で表示することができる実物大表示システム及び実物大表示プログラムを実現することにある。
【課題を解決するための手段】
【００１１】
上記の目的を達成するため、請求項１に記載の実物大表示システムは、
所定の寸法に設定された寸法計測画像を登録しておく寸法計測画像記憶手段と、
上記寸法計測画像が表示された寸法調整比率設定画面を表示部に出力する手段と、
表示部に表示された上記寸法計測画像の実測値が入力された場合に、寸法計測画像の「設定寸法値÷実測値」の演算処理を行って寸法調整比率を算出する手段と、
算出した上記寸法調整比率を登録しておく寸法調整比率記憶手段と、
ベクタ形式の素材画像を登録しておく素材画像記憶手段と、
上記素材画像記憶手段から選択された素材画像を抽出する手段と、
上記寸法調整比率記憶手段に登録された寸法調整比率を参照し、寸法調整比率に従って抽出した素材画像の寸法調整を実行する手段と、
寸法調整後の素材画像を表示部に出力する手段と、
を備えたことを特徴とする。
【００１２】
請求項２に記載の実物大表示システムは、
所定の寸法に設定された寸法計測画像を登録しておく寸法計測画像記憶手段と、
上記寸法計測画像が表示された寸法調整比率設定画面を表示部に出力する手段と、
表示部に表示された上記寸法計測画像の実測値が入力された場合に、寸法計測画像の「設定寸法値÷実測値」の演算処理を行って寸法調整比率を算出する手段と、
算出した上記寸法調整比率を登録しておく寸法調整比率記憶手段と、
ラスタ形式の素材画像を登録しておく素材画像記憶手段と、
上記ラスタ形式の素材画像中において、実物大表示の「対象物の縦寸法値Ｈ及び横寸法値Ｄ」と、「対象物の実物大表示時の縦寸法値ｈ及び横寸法値ｄ」を登録しておく素材寸法情報記憶手段と、
上記素材画像記憶手段から選択された素材画像を抽出する手段と、
上記素材寸法情報記憶手段に登録された「対象物の縦寸法値Ｈ及び横寸法値Ｄ」、「対象物の実物大表示時の縦寸法値ｈ及び横寸法値ｄ」、上記寸法調整比率記憶手段に登録された「寸法調整比率」を参照し、「縦寸法値ｈ÷縦寸法値Ｈ」及び「横寸法値ｄ÷横寸法値Ｄ」の演算処理を行って「対象物の縦方向の変形率及び横方向の変形率」を算出し、さらに、上記「対象物の縦方向の変形率及び横方向の変形率」に上記寸法調整比率を乗じる演算処理を行って算出された比率に従って素材画像の寸法調整を実行する手段と、
寸法調整後の素材画像を表示部に出力する手段と、
を備えたことを特徴とする。
【００１３】
請求項３に記載の実物大表示プログラムは、
コンピュータを、
所定の寸法に設定された寸法計測画像を登録しておく寸法計測画像記憶手段、
上記寸法計測画像が表示された寸法調整比率設定画面を表示部に出力する手段、
表示部に表示された上記寸法計測画像の実測値が入力された場合に、寸法計測画像の「設定寸法値÷実測値」の演算処理を行って寸法調整比率を算出する手段、
算出した上記寸法調整比率を登録しておく寸法調整比率記憶手段、
ベクタ形式の画像を登録しておく素材画像記憶手段、
上記素材画像記憶手段から選択された素材画像を抽出する手段、
上記寸法調整比率記憶手段に登録された寸法調整比率を参照し、寸法調整比率に従って抽出した素材画像の寸法調整を実行する手段、
寸法調整後の素材画像を表示部に出力する手段、
として機能させることを特徴とする。
【００１４】
請求項４に記載の実物大表示プログラムは、
コンピュータを、
所定の寸法に設定された寸法計測画像を登録しておく寸法計測画像記憶手段、
上記寸法計測画像が表示された寸法調整比率設定画面を表示部に出力する手段、
表示部に表示された上記寸法計測画像の実測値が入力された場合に、寸法計測画像の「設定寸法値÷実測値」の演算処理を行って寸法調整比率を算出する手段、
算出した上記寸法調整比率を登録しておく寸法調整比率記憶手段、
ラスタ形式の素材画像を登録しておく素材画像記憶手段、
上記ラスタ形式の素材画像中において、実物大表示の「対象物の縦寸法値Ｈ及び横寸法値Ｄ」と、「対象物の実物大表示時の縦寸法値ｈ及び横寸法値ｄ」を登録しておく素材寸法情報記憶手段、
上記素材画像記憶手段から選択された素材画像を抽出する手段、
上記素材寸法情報記憶手段に登録された「対象物の縦寸法値Ｈ及び横寸法値Ｄ」、「対象物の実物大表示時の縦寸法値ｈ及び横寸法値ｄ」、上記寸法調整比率記憶手段に登録された「寸法調整比率」を参照し、「縦寸法値ｈ÷縦寸法値Ｈ」及び「横寸法値ｄ÷横寸法値Ｄ」の演算処理を行って「対象物の縦方向の変形率及び横方向の変形率」を算出し、さらに、上記「対象物の縦方向の変形率及び横方向の変形率」に上記寸法調整比率を乗じる演算処理を行って算出された比率に従って素材画像の寸法調整を実行する手段、
寸法調整後の素材画像を表示部に出力する手段、
として機能させることを特徴とする。
【発明の効果】
【００１５】
請求項１に記載した実物大表示システム及び請求項３に記載した実物大表示プログラムにあっては、寸法計測画像の「設定寸法値÷実測値」の演算処理を行って寸法調整比率を算出・登録し、ベクタ形式の画像を上記寸法調整比率に従って寸法調整を行った後に、ユーザの情報端末の表示部に出力するようにしたので、情報端末毎に上記寸法調整比率を算出・登録しておくことにより、使用する情報端末が変わっても、情報端末の表示部にベクタ形式の画像を実物大で表示することができる。
【００１６】
請求項２に記載した実物大表示システム及び請求項４に記載した実物大表示プログラムにあっては、寸法計測画像の「設定寸法値÷実測値」の演算処理を行って算出した「寸法調整比率」、ラスタ形式の素材画像中において、実物大表示の「対象物の縦寸法値Ｈ及び横寸法値Ｄ」、「対象物の実物大表示時の縦寸法値ｈ及び横寸法値ｄ」を登録しておき、上記「縦寸法値ｈ÷縦寸法値Ｈ」及び「横寸法値ｄ÷横寸法値Ｄ」の演算処理を行って「対象物の縦方向の変形率及び横方向の変形率」を算出し、さらに、上記「対象物の縦方向の変形率及び横方向の変形率」に上記寸法調整比率を乗じる演算処理を行って算出された比率に従って素材画像の寸法調整を行った後に、ユーザの情報端末の表示部に出力するようにしたので、ラスタ形式の素材画像中における実物大表示の「対象物の縦寸法値Ｈ及び横寸法値Ｄ」、「対象物の実物大表示時の縦寸法値ｈ及び横寸法値ｄ」を登録しておくと共に、情報端末毎に上記寸法調整比率を算出・登録しておくことにより、使用する情報端末が変わっても、情報端末の表示部にラスタ形式の画像を実物大で表示することができる。
【発明を実施するための形態】
【００１７】
図１は、本発明に係る実物大表示システム10の機能構成を示すブロック図であり、制御部12と、記憶手段としての記憶部14を備えている。
【００１８】
上記制御部12は、学習者や先生（以下、ユーザと称する）が使用する情報端末（コンピュータ）としてのタブレット端末、スマートフォン、パソコン等のコンピュータのＣＰＵが、ＯＳ及び専用のアプリケーションプログラムに従って必要な処理を実行し、後述する各種機能を実行・実現する。
【００１９】
上記制御部12には、入力部18から入力された指令が、インターフェースとして機能する入出力制御部16を介して入力されると共に、制御部12から出力された指令が、入出力制御部16を介して表示部20に出力される。
上記入力部18としては、手書及びタッチペンでの入力可能なタッチ入力機能を有するタブレット端末、スマートフォン、パソコン等のタッチパネルやソフトウェアキーボード、また、パソコンの物理キーボードやマウス等が該当する。
上記表示部20としては、タブレット端末、スマートフォン、パソコン等のタッチパネル、また、パソコンの液晶パネル等が該当する。
【００２０】
上記記憶部14は、記憶手段としての寸法計測画像記憶部22、寸法調整比率記憶部24、素材画像記憶部26、素材寸法情報記憶部28、作業データ記憶部30、画面定義記憶部32を備えている。
上記寸法計測画像記憶部22、寸法調整比率記憶部24、素材画像記憶部26、素材寸法情報記憶部28、画面定義記憶部32は、タブレット端末やパソコン等の情報処理端末を構成するハードディスク等の記憶装置内に格納されている。
【００２１】
上記作業データ記憶部30は、本システム10が起動されると上記制御部12によって確保され、入力データや演算結果を一時的に記憶する記憶部であり、メインメモリ（ＲＡＭ）等の一時記憶装置内に置かれている。
【００２２】
上記画面定義記憶部32は、本システム10が上記表示部20の表示画面に表示する各種画面の画面定義情報（例えば、表示する項目情報やそのレイアウト情報及び入力編集可否情報等）を記憶した記憶部である。
【００２３】
上記寸法計測画像記憶部22には、ユーザが使用する情報端末において、画像を表示する際の「寸法調整比率」を算出するために用いる「寸法計測画像」が格納されている。
すなわち、上記寸法計測画像記憶部22には、寸法計測画像として、図２に示す「画像の寸法調整比率設定画面34」中に表示される寸法計測バー36と寸法計測図形38が登録されている。
上記寸法計測バー36は、所定の長さに設定された横長長方形に描画・表示されるベクタ形式の画像であり、本実施例においては、１０ｃｍの長さに設定されている。
また、上記寸法計測図形38は、四辺が所定の長さに設定された正方形に描画・表示されるベクタ形式の画像であり、本実施例においては、四辺が３ｃｍの長さに設定されている。
尚、ベクタ形式とは、描画する画像の形を、点の座標、点を結ぶ線又は面の方程式のパラメータ等で表現した公知の画像形式であり、画像を劣化させることなく拡大縮小が可能な画像形式である。
【００２４】
上記寸法調整比率設定画面34は、制御部12が寸法計測画像記憶部22に登録されている寸法計測画像としての寸法計測バー36及び寸法計測図形38を抽出すると共に、画面定義記憶部32に登録されている寸法調整比率設定画面34の画面定義情報を読み出して図２に示す寸法調整比率設定画面34を生成し、表示部20の表示画面に出力・表示するのである。
尚、図２に示す通り、寸法調整比率設定画面34には、上記寸法計測バー36及び寸法計測図形38以外に、寸法調整比率設定のための「説明文40（１．黒いラインの長さを測って入力して下さい等）」、「測定した長さ（実測値）の入力欄42」、「ＯＫボタン44」、「完了ボタン46」が表示されている。
【００２５】
以下において、ユーザが使用する情報端末の「寸法調整比率」を設定する場合の処理手順を、図１のブロック図、図２の寸法調整比率設定画面34及び図３のフローチャートに基づいて説明する。
【００２６】
先ず、ユーザは、自己が使用する情報端末の表示部20に表示された寸法調整比率設定画面34中の寸法計測バー36の長さを、物差し等の測定器具を用いて実際に測定し、実測値を入力欄42に入力する（Ｓ10）。図２においては、実測値として１２．５ｃｍが入力されている。
上記の通り、寸法計測バー36は１０ｃｍの長さに設定されているが、当該情報端末の表示部20においては寸法計測バー36が１２．５ｃｍの長さで表示されていることを意味する。
【００２７】
実測値の入力後、ＯＫボタン44が入力されると、実測値が作業データ記憶部30に記憶され、制御部12は、寸法計測バー36の長さの設定寸法値を実測値で除する「設定寸法値÷実測値」の演算処理を行って寸法調整比率を算出する（Ｓ12）。この寸法調整比率は作業データ記憶部30に保持される。
上記の通り、寸法計測バー36の長さの設定寸法値１０ｃｍ、実測値は１２．５ｃｍであることから、当該情報端末の寸法調整比率は「設定寸法値１０ｃｍ÷実測値１２．５ｃｍ」で０．８となる。
【００２８】
次に、制御部12は、算出した寸法調整比率に従って、正方形の寸法計測図形38の寸法調整を行い（Ｓ14）、寸法調整後の寸法計測図形38を有する寸法調整比率設定画面34を生成し、表示部20の表示画面に出力・表示する（Ｓ16）。
本実施例の場合、寸法調整比率は０．８であることから、寸法計測図形38は８０％（０．８倍）に縮小されることとなる。
尚、図示は省略するが、例えば、実測値が８ｃｍの場合、寸法調整比率は１．２５（設定値１０ｃｍ÷実測値８．０ｃｍ）となり、上記寸法調整比率１．２５に従って寸法計測図形38は１２５％（１．２５倍）に拡大されることとなる。
さらに、例えば、実測値が設定値と同一の１０ｃｍの場合、寸法調整比率は１．０（設定値１０ｃｍ÷実測値１０．０ｃｍ）となることから、上記寸法調整比率１．０に従って寸法計測図形38は等倍（１００％）に調整されることとなる。
【００２９】
図４は、寸法調整後の寸法計測図形38を有する寸法調整比率設定画面34であり、寸法調整比率０．８に従って８０％（０．８倍）に縮小された寸法計測図形38が表示されている。
ここでユーザは、寸法計測図形38の四辺の長さを物差し等の測定器具を用いて実際に測定し、実測値が設定値と同じ３ｃｍとなっているかを確認した上で完了ボタン46を入力する（Ｓ18）。
【００３０】
これを受けた制御部12は、作業データ記憶部30に保持されている寸法調整比率（０．８）を寸法調整比率記憶部24に登録する（Ｓ20）。
【００３１】
上記素材画像記憶部26には、寸法調整比率記憶部24に登録された寸法調整比率に基づいて寸法の調整を行う対象である各種の画像が記憶されている。
具体的には、小学校の児童等が算数で学ぶ幾何学的図形である三角形、四角形、立方体等、所定の寸法が設定されたベクタ形式の画像が登録されている。例えば、紙媒体の教科書に印刷されている３ｃｍ四方の正方形と同じく、３ｃｍ四方の寸法が設定されたベクタ形式の正方形画像等である。
上記の通り、ベクタ形式とは、描画する画像の形を、点の座標、点を結ぶ線又は面の方程式のパラメータ等で表現した公知の画像形式であり、画像を劣化させることなく拡大縮小が可能な画像形式であり、単純な図形の表現に適した形式である。
【００３２】
また、上記素材画像記憶部26には、小学校の児童等が理科で学ぶ「ひまわりの種」等の被写体を撮影した写真画像等のラスタ形式の画像も登録されている。
ラスタ形式とは、描画する画像の形を、格子状に並んだ色の付いた点の集合として表現する公知の画像形式であり、複雑な図形の表現に適した形式である反面、画像を拡大すると粗くなるものである。
【００３３】
尚、写真等のラスタ形式の画像の場合には、通常、画像中において被写体は実物大で表示されているものではない。
すなわち、図５（ａ）は、「ひまわりの種」を被写体48とした写真50であるが、実物大表示したい対象物である「ひまわりの種（被写体48）」は写真画像の全領域中において一部分を占めているにすぎず、その大きさも実物大とはなっていない。
【００３４】
そこで、システム10側のオペレータにより、以下の作業を行っておく。
先ず、図５（ｂ）に示すように、実物大表示の対象物である「ひまわりの種（被写体48）」のみを矩形状にトリミングする。すなわち、「ひまわりの種（被写体48）」の縦方向の上下端、横方向の左右端に接する矩形状のトリミング枠52で「ひまわりの種（被写体48）」を囲繞し、その上で、画像（写真50）中における「ひまわりの種（被写体48）」の縦寸法値Ｈ及び横寸法値Ｄを算出する。
写真等のラスタ形式の画像は、大きさ（ｐｉｘｅｌ）と解像度（ｄｐｉ）の情報を保持しており、上記縦寸法値Ｈ及び横寸法値Ｄは、大きさ（ｐｉｘｅｌ）÷解像度（ｄｐｉ）×２．５４の式で算出することができる。本実施例においては、説明の便宜上、上記式で算出した縦寸法値Ｈ＝１ｃｍ、横寸法値Ｄ＝０．５ｃｍとして説明する。
【００３５】
また、システム10側のオペレータは、「ひまわりの種」の標準的な大きさに関する情報を各種文献等から入手した上で、「対象物の実物大表示時の縦寸法値ｈ及び横寸法値ｄ」を選定する。本実施例においては、説明の便宜上、実物大表示時の縦寸法値ｈ＝２ｃｍ、横寸法値ｄ＝１ｃｍとして説明する。
その上で、オペレータは、上記写真50のＩＤ（例えば0001）と、「ひまわりの種（被写体48）」のみを矩形状にトリミングして算出した「画像中における対象物の縦寸法値Ｈ及び横寸法値Ｄ」と、「対象物の実物大表示時の縦寸法値ｈ及び横寸法値ｄ」を相互に関連付けて上記素材寸法情報記憶部28に登録しておく。
本実施例の場合、写真50の「ＩＤ＝0001」と、「縦寸法値Ｈ＝１ｃｍ、横寸法値Ｄ＝０．５ｃｍ」と、「縦寸法値ｈ＝２ｃｍ、横寸法値ｄ＝１ｃｍ」とが相互に関連付けられて上記素材寸法情報記憶部28に登録されることとなる。
【００３６】
以下において、本システム10を用いて、所定の寸法が設定されたベクタ形式の画像（例えば円図形、立方体図形等）を実物大表示する際の処理手順を、図１のブロック図及び図６のフローチャートに基づいて説明する。
【００３７】
先ず、ユーザは、図示しない素材画像選択画面から所望の素材画像を選択する（Ｓ30）。
上記選択を受けて制御部12は、素材画像記憶部26から選択された画像を抽出する（Ｓ32）。
また制御部12は、寸法調整比率記憶部24に登録された寸法調整比率（本実施例の場合０．８）を参照する（Ｓ34）。
【００３８】
次に、制御部12はＳ34で参照した寸法調整比率に従って、選択画像の寸法調整を実行する（Ｓ36）。
上記の通り、本実施例における寸法調整比率は０．８であることから、制御部12により選択画像は８０％（０．８倍）に縮小処理されることとなる。
寸法調整後、制御部12は選択画像を表示部20に出力し、表示画面に描画・表示する（Ｓ38）。
【００３９】
本システム10にあっては、寸法計測画像（寸法計測バー36）の「設定寸法値」を、ユーザが使用する情報端末の表示部20に表示された寸法計測画像（寸法計測バー36）の「実測値」で除す「設定寸法値÷実測値」の演算処理を行って寸法調整比率を算出・登録しておき、ベクタ形式の画像を上記寸法調整比率に従って寸法調整（拡大・縮小又は等倍調整）を行った後に、ユーザの情報端末の表示部20に表示するようにしたので、情報端末毎に上記寸法調整比率を算出・登録しておくことにより、使用する情報端末が変わっても、情報端末の表示部20にベクタ形式の画像を実物大で表示することができる。
【００４０】
この結果、図７に示すように、ユーザが使用するタブレット端末54の寸法調整比率とスマートフォン56の寸法調整比率をそれぞれの寸法調整比率記憶部24に登録しておくことにより、例えば直径５ｃｍに設定されたベクタ形式の円画像58を、タブレット端末54及びスマートフォン56の表示画面においても実物大の直径５ｃｍの円画像として表示することができる。
【００４１】
同様に、図８に示すように、ユーザが使用するタブレット端末54の寸法調整比率、スマートフォン56の寸法調整比率、パソコンの寸法調整比率をそれぞれの寸法調整比率記憶部24に登録しておくことにより、例えば縦・横・高さが６ｃｍに設定されたベクタ形式の立方体画像58を、タブレット端末54、スマートフォン56及びパソコンの液晶パネル62の表示画面においても実物大である縦・横・高さが６ｃｍの立方体画像として表示することができる。
この結果、情報端末が変わっても、ユーザは縦・横・高さが６ｃｍの立方体の大きさのイメージを容易に把握することができる。
【００４２】
また、図９に示すように、ユーザが使用するタブレット端末54の寸法調整比率を寸法調整比率記憶部24に登録しておくことにより、紙媒体の方眼紙64のマス目の寸法（例えば１ｃｍ四方のマス目）と同じ寸法に設定したベクタ形式の方眼紙画像66を、タブレット端末54の表示画面においても実物大の１ｃｍ四方のマス目を有する方眼紙画像66として表示することができる。
【００４３】
以下において、本システム10を用いて、ラスタ形式の写真等の画像を実物大表示する際の処理手順を、図１のブロック図及び図１０のフローチャートに基づいて説明する。
尚、以下の説明においては、実物大表示の対象物として上記した「ひまわりの種の写真50（図５参照）」の場合を例示して説明する。
【００４４】
先ず、ユーザは、図示しない素材画像選択画面から所望の素材画像を選択する（Ｓ50）。本実施例の場合、「ひまわりの種の写真50」が選択される。
上記選択を受けて制御部12は、素材画像記憶部26から選択された画像「ひまわりの種（被写体48）」の写真50」を抽出する（Ｓ52）。
【００４５】
次に、制御部12は、素材寸法情報記憶部28に登録されている「画像中における対象物の縦寸法値Ｈ及び横寸法値Ｄ」を参照する（Ｓ54）。
すなわち、「ひまわりの種の写真50」中における対象物である「ひまわりの種（被写体48）」の「縦寸法値Ｈ＝１ｃｍ、横寸法値Ｄ＝０．５ｃｍ」が参照される。
【００４６】
また、制御部12は、素材寸法情報記憶部28に登録されている「対象物の実物大表示時の縦寸法値ｈ及び横寸法値ｄ」を参照する（Ｓ56）
すなわち、「ひまわりの種の写真50」中における対象物である「ひまわりの種（被写体48）」の「実物大表示時の縦寸法値ｈ＝２ｃｍ、横寸法値ｄ＝１ｃｍ」が参照される。
【００４７】
さらに制御部12は、寸法調整比率記憶部24に登録された寸法調整比率（本実施例の場合０．８）を参照する（Ｓ58）。
【００４８】
次に、制御部12は、Ｓ54で参照した「画像中における対象物の縦寸法値Ｈ及び横寸法値Ｄ」、Ｓ56で参照した「対象物の実物大表示時の縦寸法値ｈ及び横寸法値ｄ」、Ｓ58で参照した寸法調整比率に従って、選択画像の寸法調整を実行する（Ｓ60）。
すなわち、「実物大表示時の縦寸法値ｈ」を「画像中における対象物の縦寸法値Ｈ」で除する「縦寸法値ｈ÷縦寸法値Ｈ」の演算処理を行うと共に、「実物大表示時の横寸法値ｄ」を「画像中における対象物の横寸法値Ｄ」で除する「横寸法値ｄ÷横寸法値Ｄ」の演算処理を行って、「対象物の縦方向の変形率及び横方向の変形率」を算出する。
さらに、算出した上記変形率に寸法調整比率を乗じる「縦方向の変形率（横方向の変形率）×寸法調整比率」の演算処理を行って算出された比率に従って、選択画像の寸法調整を実行するのである。
【００４９】
本実施例の場合、「２ｃｍ（縦寸法値ｈ）÷１ｃｍ（縦寸法値Ｈ）」で対象物の縦方向の変形率は２、「１ｃｍ（横寸法値ｄ）÷０．５ｃｍ（横寸法値Ｄ）」で対象物の横方向の変形率は２となる。
さらに、上記対象物の縦方向の変形率に寸法調整比率を乗じる「２（縦方向の変形率）×０．８（寸法調整比率）」の演算処理の結果、縦方向の変形比率は１．６となり、また、対象物の横方向の変形率に寸法調整比率を乗じる「２（横方向の変形率）×０．８（寸法調整比率）」の演算処理の結果、横方向の変形比率も１．６となる。
この結果、上記縦方向の変形比率１．６、横方向の変形比率１．６に従って、制御部12は選択画像を１６０％（１．６倍）に拡大処理するのである。
【００５０】
上記寸法調整後、制御部12は選択画像を表示部20に出力し、表示画面に表示する（Ｓ62）。
【００５１】
本システム10にあっては、寸法計測画像（寸法計測バー36）の「設定寸法値」を、ユーザが使用する情報端末の表示部20に表示された寸法計測画像（寸法計測バー36）の「実測値」で除して算出した「寸法調整比率」と、「ラスタ形式の画像中における実物大表示対象物の縦寸法値Ｈ及び横寸法値Ｄ」と、「対象物の実物大表示時の縦寸法値ｈ及び横寸法値ｄ」を登録しておき、上記「縦寸法値ｈ÷縦寸法値Ｈ」及び「横寸法値ｄ÷横寸法値Ｄ」の演算処理を行って、「対象物の縦方向の変形率及び横方向の変形率」を算出後、算出した上記変形率に寸法調整比率を乗じる演算処理を行って得られた比率に従って、寸法調整（拡大・縮小又は等倍調整）を行った後に、ユーザの情報端末の表示部20に表示するようにしたので、ラスタ形式の素材画像中における実物大表示の「対象物の縦寸法値Ｈ及び横寸法値Ｄ」、「対象物の実物大表示時の縦寸法値ｈ及び横寸法値ｄ」を登録しておくと共に、情報端末毎に上記寸法調整比率を算出・登録しておくことにより、使用する情報端末が変わっても、情報端末の表示部20にラスタ形式の画像を実物大で表示することができる。
【００５２】
この結果、例えば図１１に示すように、ラスタ形式の「ひまわりの種の画像」、「ヘチマの種の画像」、「アサガオの種の画像」を、ユーザのタブレット端末54の表示画面に実物大表示することができ、ユーザは種相互間での大きさの違いを把握することができる。
また、例えば図１２に示すように、先生が、電子黒板74の表示画面に奈良の大仏の鼻画像76を実物大で表示して、その大きさを児童・生徒に実感させることができる。
【図面の簡単な説明】
【００５３】
【図１】本発明に係る実物大表示システムの機能構成を示すブロック図
【図２】表示部の表示画面に表示された画像の寸法調整比率設定画面を示す説明図
【図３】ユーザが使用する情報端末の寸法調整比率を設定する場合の処理手順を示すフローチャート
【図４】寸法計測画像の寸法調整後における寸法調整比率設定画面を示す説明図
【図５】ラスタ形式の写真において被写体の縦寸法値及び横寸法値を算出する方法を示す説明図
【図６】ベクタ形式の画像を実物大表示する際の処理手順を示すフローチャート
【図７】ベクタ形式の円図形をタブレット端末及びスマートフォンの表示画面に表示した状態を示すイメージ図
【図８】ベクタ形式の立方体図形をタブレット端末の表示画面、スマートフォンの表示画面及びパソコンの液晶パネルの表示画面に表示した状態を示すイメージ図
【図９】紙媒体の方眼紙と同じ寸法であるベクタ形式の方眼紙図形をタブレット端末の表示画面に表示した状態を示すイメージ図
【図１０】ラスタ形式の画像を実物大表示する際の処理手順を示すフローチャート
【図１１】ラスタ形式の画像（ひまわりの種、ヘチマの種、アサガオの種）をタブレット端末の表示画面に表示した状態を示すイメージ図
【図１２】ラスタ形式の画像（奈良の大仏）を電子黒板の表示画面に表示した状態を示すイメージ図
【符号の説明】
【００５４】
10  実物大表示システム
12  制御部
14  記憶部
16  入出力制御部
18  入力部
20  表示部
22  寸法計測画像記憶部
24  寸法調整比率記憶部
26  素材画像記憶部
28  素材寸法情報記憶部
30  作業データ記憶部
32  画面定義記憶部
34  画像の寸法調整比率設定画面
36  寸法計測バー
38  寸法計測図形
40  説明文
42  実測値の入力欄
44  ＯＫボタン
46  完了ボタン
48  被写体
50  写真
52  トリミング枠
54  タブレット端末
56  スマートフォン
58  円画像
60  立方体画像
62  パソコンの液晶パネル
64  紙媒体の方眼紙
66  方眼紙図形
68  ひまわりの種の画像
70  へちまの種の画像
72  アサガオの種の画像
74  電子黒板
76  奈良の大仏の鼻画像
【図１】
2018092306.tif 000003
【図２】
2018092306.tif 000004
【図３】
2018092306.tif 000005
【図４】
2018092306.tif 000006
【図５】
2018092306.tif 000007
【図６】
2018092306.tif 000008
【図７】
2018092306.tif 000009
【図８】
2018092306.tif 000010
【図９】
2018092306.tif 000011
【図１０】
2018092306.tif 000012
【図１１】
2018092306.tif 000013
【図１２】
2018092306.tif 000014